(57)【要約】【課題】  熟練を要することなく取扱いが容易な部屋の寸法を極座標で収集し、ＸＹ座標系データに変換して部屋の形状に合成して表示する装置を提供すること。【解決手段】  部屋の中央部に設置して極座標で部屋の寸法を測定し、測定データを送信する第１無線通信部10を有する測定装置本体と、この測定装置本体の第１無線通信部10と通信する第２無線通信部31、表示部32、操作部33、記憶部34および主演算部35を有し、上記測定装置本体と共同して測定操作を行う専用のソフトウエアをインストールした携帯端末装置３とを具備し、携帯端末装置３の表示部32には、初期設定画面、極座標の原点を設定する原点設定画面、測定手順の入力および測定の進行状況を表示する測定画面を表示する表示兼入力画面である。【選択図】  図２
2013127450.tif 000002
【特許請求の範囲】
【請求項１】
基台と、該基台に回動自在に載置された回転台と、該回転台上に載置され、上記基台に対する回転台の回動角度を検出するロータリ・エンコーダと、上記回転台上に載置され、引き出されたワイヤーまたはテープなどの長さを検出するリニア・エンコーダと、上記回転台上に載置され、回転台の指向方向にレーザ光線を放射するレーザ光源と、上記ワイヤーまたはテープなどの先端に結合された先鋭な先端部を有する探触子と、該探触子に設けられた上記レーザ光線を受光したときに光線を放射する応答装置と、上記指向方向に存在する測定すべき測定点に上記探触子の先端部を合わせたのち、上記回転台において上記応答装置より放射されたときの角度データおよび長さデータを送信する第１無線通信部とを具備する測定装置本体と、
上記測定装置本体の第１無線通信部と通信する第２無線通信部、表示部、操作部、記憶部および主演算部を有し、上記測定装置と共同して測定操作を行う専用のソフトウエアをインストールした携帯端末装置とを具備し、
上記携帯端末装置の表示部は、初期設定画面、極座標の測定の原点を設定する原点設定画面、測定手順および測定の進行状況を表示する測定画面を表示する表示兼入力画面であることを特徴とする部屋の寸法測定装置。
【請求項２】
基台と、該基台に回動自在に載置された回転台と、該回転台上に載置され、上記基台に対する回転台の回動角度を検出するロータリ・エンコーダと、レーザ距離計と、該レーザ距離計のレーザビームが測定すべき測定点を照射したときの角度データおよび長さデータを送信する第１無線通信部とを具備する測定装置本体と、
上記測定装置本体の第１無線通信部と通信する第２無線通信部、表示部、操作部、記憶部および主演算部を有し、上記測定装置と共同して測定操作を行う専用のソフトウエアをインストールした携帯端末装置とを具備し、
上記携帯端末装置の表示部は、初期設定画面、極座標の測定の原点を設定する原点設定画面、測定手順および測定の進行状況を表示する測定画面を表示する表示兼入力画面であることを特徴とする部屋の寸法測定装置。
【請求項３】
携帯端末装置の表示兼入力画面はタッチパネルであることを特徴とする請求項１または請求項２の何れかに記載の部屋の寸法測定装置。
【請求項４】
携帯端末装置の表示兼入力画面における表示部には、部屋の寸法データに基づいて部屋に敷き込む畳のクセを各測定点ごとに表示することを特徴とする請求項１または請求項２の何れかに記載の部屋の寸法測定装置。
【請求項５】
携帯端末装置の表示兼入力画面における表示部には、部屋の寸法データに基づいて部屋に敷き込む畳のクセとともに敷居の高さを各測定点ごとに表示することを特徴とする請求項１または請求項２の何れかに記載の部屋の寸法測定装置。
【発明の詳細な説明】
【技術分野】
【０００１】
この発明は、部屋の形状に合わせて畳や絨毯等を裁断加工する際に、部屋の寸法を測定して、数値制御等による裁断加工のために寸法表記する部屋の寸法測定装置、特に、略四角形の部屋の中心部近傍の位置を基準にして測定した部屋周囲の測定点までの長さデータおよび角度データよりなる極座標データに基づいて、部屋の寸法を割り出し、裁断加工に適したデータに変換して表記するための部屋の寸法測定装置に関する。
【背景技術】
【０００２】
部屋に畳や絨毯を敷き込む際に、表記された部屋の面積と実面積が同じであるとは限らないので、施工に際して、予め部屋の実寸法を測定し、その測定結果に基づいて部屋の形状に合わせて畳や絨毯を裁断加工していた。
【０００３】
特に、畳を敷き込む場合には６畳、８畳、１２畳半などに割り付けて裁断加工するが、このような場合に測定する部屋の寸法は、例えば畳の場合、五八（５尺８寸×２尺９寸）、三六（６尺×３尺）、本間（６尺３寸×３尺１寸５分）という畳一枚の基準サイズと畳数とで定まる部屋の基準寸法からの偏差（クセ）で表すことが普通に行われている。
【０００４】
そして、そのように基準寸法からの偏差によって部屋の寸法を表わす測定方法として、通常は、測定箇所が少なく測定時間が短くて済む「間中測定法」で部屋の寸法を採り、また、部屋の周囲の敷居などのなかで特に歪みの大きい箇所では、部分的に「小間中測定法」で、より細かく寸法を採る方法が一般的に行われている。
【０００５】
このような部屋の寸法測定装置として、基台と、この基台に回転自在に載置された回転台と、この回転台上に載置され、基台に対する回転台の回転角度を検出するロータリー・エンコーダと、回転台上に載置され、ワイヤーまたはテープなどを巻き込んでおいて、引き出されたワイヤーまたはテープなどの長さを検出するリニア・エンコーダと、回転台上に載置され、回転台の指向方向にレーザ光線を放射するレーザ光源と、ワイヤーまたはテープなどの先端に結合された先鋭な先端部を有する探触子と、この探触子に設けられレーザ光線を受光したときに光線を再放射する応答装置と、指向方向に存在する測定すべき基準点に探触子の先端部を合わせ、応答装置より光線が再放射されたときの角度データおよび長さデータを格納する記憶装置とを具備する装置が、下記特許文献１において提案されている。
【０００６】
部屋は、通常四角形であるので、測定した３点からなる２つの線分がなす角度は「０度付近」かまたは「直角（９０度）付近」に限られる。したがって、９０度以下の場合は部屋の隅の点で、９０度以上の場合は部屋の辺上の点であると判断することができ、測定点が「部屋の隅」を表す測定点であるかどうかは簡単に判別できる。
【０００７】
そこで、中柱や隅柱が存在する部屋の測定においては、測定できない個所の代わりになる個所を測定し、計算によって、本来測定したい隅柱・中柱の寸法を擬似的に導き出すことが可能であり、この手法による計算方法に基づく部屋の寸法表記方法について、下記特許文献２において提案されている。
【先行技術文献】
【特許文献】
【０００８】
【特許文献１】特許第３６５９４３６号公報
【特許文献２】特許第４２５０７３５号公報
【発明の概要】
【発明が解決しようとする課題】
【０００９】
従来の装置においては、部屋の寸法を極座標で収集する際に、収集する手順が解りにくく、多数の測定点について、順次に間違いなくデータを収集したか否かを確認することが難しく、測定の進行状況を確認できないので、熟練を要するという問題があった。
【００１０】
さらに、寸法測定装置本体の原点設定を正しく設定したか否かを確認することができなかった。また、測定を終えて製畳工場に戻ってから、測定ミスに気付き、再度測定をやり直すことがあった。
【課題を解決するための手段】
【００１１】
この発明の部屋の寸法測定装置は、基台と、該基台に回動自在に載置された回転台と、この回転台上に載置され、上記基台に対する回転台の回動角度を検出するロータリ・エンコーダと、上記回転台上に載置され、引き出されたワイヤーまたはテープなどの長さを検出するリニア・エンコーダと、上記回転台上に載置され、回転台の指向方向にレーザ光線を放射するレーザ光源と、上記ワイヤーまたはテープなどの先端に結合された先鋭な先端部を有する探触子と、この探触子に設けられた上記レーザ光線を受光したときに光線を放射する応答装置と、上記指向方向に存在する測定すべき測定点に上記探触子の先端部を合わせたのち、上記回転台において上記応答装置より放射されたときの角度データおよび長さデータを送信する第１無線通信部とを具備する測定装置本体と、
上記測定装置本体の第１無線通信部と通信する第２無線通信部、表示部、操作部、記憶部および主演算部を有し、上記測定装置と共同して測定操作を行う専用のソフトウエアをインストールした携帯端末装置とを具備し、
上記携帯端末装置の表示部は、初期設定画面、極座標の測定の原点を設定する原点設定画面、測定手順および測定の進行状況を表示する測定画面を表示する表示兼入力画面である。
【発明の効果】
【００１２】
この発明の部屋の寸法測定装置によると、携帯端末装置を使用して、タッチパネルなどの表示・入力画面において、測定操作に必要な「初期設定」、「原点設定」、「測定手順」、「測定完了」の操作を表示に従って１ステップごとに確認しなら行うことができるから、熟練を要することなく、測定ミスを生じることなく、部屋の寸法を正しく測定することができる。
【図面の簡単な説明】
【００１３】
【図１】この発明の部屋の寸法測定装置における測定装置本体を分解して示した斜視図、
【図２】第１の実施形態における信号処理回路および携帯端末装置を示すブロック図、
【図３】部屋の寸法を測定する際に、間中測定法および小間中測定法による測定点を示す平面図、
【図４】測定装置本体および携帯端末装置が共同して測定操作を行う過程を示すフローチャート、
【図５】測定装置本体を部屋のほぼ中央に設置して原点を設定する状態を説明する平面図、
【図６】第１の実施形態における携帯端末装置に表示される初期設定画面を示す図、
【図７】第１の実施形態における携帯端末装置に表示される原点設定画面を示す図、
【図８】第１の実施形態における携帯端末装置に表示される測定画面を示す図、
【図９】第１の実施形態における携帯端末装置に表示される測定完了画面を示す図、
【図１０】第３の実施形態で使用する敷居の高さ測定装置を示す斜視図、
【図１１】第３の実施形態で使用する敷居の高さ測定装置の回路を示すブロック図、
【図１２】第３の実施形態の高さ測定装置の使用状態を示す斜視図、
【図１３】第３の実施形態における携帯端末装置に表示される測定完了画面を示す図、
【図１４】第４の実施形態における携帯端末装置に表示される測定完了画面を示す図である。
【発明を実施するための形態】
【００１４】
（第１の実施形態）
この発明の第１の実施形態における基本的な構成は、特許第３６５９４３６号公報に記載された部屋の寸法測定装置を用いて実施するものである。
【００１５】
この寸法測定装置における測定装置本体Ｈは、図１の斜視図に外観を示すように、基台２と、モータ14によって基台２対して回転自在に載置された回転台１と、この回転台１上に載置され、基台２に対する回転台１の回転角度を検出するロータリー・エンコーダ11と、回転台１上に載置され、ワイヤーまたはテープ17などを巻き込んでおいて、引き出されたワイヤーまたはテープ17などの長さを検出するリニア・エンコーダ13と、回転台１上に載置され、回転台１の指向方向にレーザ光線15を放射するレーザ光源５と、ワイヤーまたはテープ17などの先端に結合された先鋭な先端部41を有する探触子４と、この探触子４には、本体から放射されたレーザ光線15を光センサ42で受光したときに赤外線を放射する応答用ＬＥＤ43とを備えている。
【００１６】
さらに、測定装置本体には、図２のブロック図に信号処理回路を示すように、レーザ光線の指向方向に存在する測定すべき基準点に探触子４の先端部41を合わせて待機し、レーザ光線15が探触子４の光センサ42に入射したとき、応答用ＬＥＤ43より赤外線が放射され、この赤外線を本体の光センサ16  で受光した瞬間に、ロータリー・エンコーダ11によって得た角度データおよびリニア・エンコーダ13によって得た長さデータを送信するブルーツース（登録商標）無線通信部10を具備している。
【００１７】
この発明の部屋の寸法測定装置においては、測定装置本体の他に、図２のブロック図に示すように、スマートフォンとして用いられている携帯端末装置３に、この発明の部屋の寸法測定装置を操作する専用のソフトウエアを追加インストールして使用する。
【００１８】
この携帯端末装置３には、図２のブロック図に示すように、測定装置本体と通信を行うブルーツース無線通信部31と、表示部32と、操作部33と、記憶部34と、主演算部35とを備えている。
【００１９】
携帯端末装置３の表示部32および操作部33は同一画面上にあり、タッチパネルとして使用するものであって、「初期設定画面」（図６）、極座標の原点を設定する「原点設定画面」（図７）、測定手順の入力および測定の進行状況を表示する「測定画面」（図８）を備えており、「測定画面」には、初期設定画面で設定された各部屋において測定すべき測定点を表示するとともに測定の進行状況を表示する画面をも備えている。また、タッチパネルを有する携帯端末装置に代えて、テンキーなどのキー類と表示画面とを別個に有する従来の携帯電話を用いても同様に表示・操作を行うことができる。
【００２０】
さらに、図８の「測定画面」により測定が完了すると、「測定完了画面」（図９）が表示される。この「測定完了画面」においては、「初期設定画面」で入力した情報と、畳の周囲に各測定点における偏差（クセ）が厘単位で表示される。
【００２１】
畳の枚数で部屋の大きさを表わすと、１畳、２畳、３畳、４畳、４畳半、６畳、７畳半、８畳、１０畳、１２畳、１２畳半、１５畳、１８畳、………と表すことができる。また、敷き込む畳の大きさの基準には、五八（長辺が５尺８寸）、三六（長辺が６尺）、本間（長辺が６尺３寸）がある。
【００２２】
部屋の寸法を測定する際には、６畳の部屋を例に上げて説明すると、図３（ａ）に示すように、畳の短辺の長さを目安にして測定点の間隔を決める「間中測定法」と、間中測定法の測定点の他に、敷居に接している畳の長辺の４分の１の長さを目安にして測定点を追加して間隔を決める図３（ｂ）に示す「小間中測定法」が採用されている。
【００２３】
図６に示すように、携帯端末装置３の「初期設定画面」においては、部屋番号、敷き込む畳の基準、畳数で表した部屋の広さ、部屋の向き、畳の厚みの他に、現場情報として顧客名、敷込先名、部屋名などを入力する（図４のフローチャートにおけるステップ１）。
【００２４】
さらに、この「初期設定画面」においては、測定、データの送信、設定完了、終了などの操作を行うタッチ部を備えている。
【００２５】
図７に示すように、「極座標の原点を設定する画面」には、「原点設定」の操作を行うタッチ部を備えており、図５に示すように、部屋のほぼ中央に測定装置本体Ｈを設置し、レーザ光源５より放射される可視レーザ光線15の放射方向を第１測定点（●印）より少しだけ回転方向とは反対方向に指向させ、探触子を本体に引っかけてワイヤーを引き出していないことを確認すると、図７に示す原点設定のタッチ部にタッチする（ステップ２）。
【００２６】
原点設定のタッチ部にタッチされると、本体の信号処理回路にあるロータリー・エンコーダ11およびリニア・エンコーダ13の計数値が０にリセットされ、測定の初期設定が完了して（ステップ３）、図８に示す測定画面に移る（ステップ４）。
【００２７】
測定手順を表示する「測定画面」は、測定者が携帯端末装置３を片手で持ち、他の片手で探触子４を本体Ｈから外してワイヤーを引き伸ばし、探触子４の先鋭な先端41を第１測定点（●印）に突き当てる。
【００２８】
そして、測定者が「測定画面」の「運転」をタッチすると（ステップ５）、測定装置本体Ｈは、レーザ光線15を照射しながら時計方向に回転台１を回転させる。この回転中に、レーザ光線15が、探触子４を横切ったとき、レーザ光線15が探触子４の光センサ42へ入射するので、レーザ光線15が入射した瞬間に応答用ＬＥＤ43より赤外線を入射方向に再放射させて測定装置本体に応答すると、測定装置本体は、その瞬間におけるロータリー・エンコーダ11およびリニア・エンコーダ13で計数された角度データおよび長さデータをブルーツース無線通信部10により携帯端末装置３へ送信する。
【００２９】
携帯端末装置３は、測定装置本体から受信したこの第１測定点の角度データおよび長さデータを記憶部34に格納するとともに、極座標データに変換し、「測定画面」に表示されている対応する部屋の測定点の○印を塗りつぶす（ステップ６）。
【００３０】
そして、携帯端末装置３は、今回の測定点が最後の測定点であるか否かを判定する（ステップ７）。最後の測定点ででない場合には、処理の実行をステップ４に戻す。
【００３１】
測定者が、探触子４の先端41を右隣の第２測定点に合わせて、「測定画面」の「運転」を再びタッチタッチすると（ステップ５）、回転台１が回動して、レーザ光線15が、次の測定点で待機している探触子４を横切ったとき、レーザ光線15が探触子４の光センサ42へ入射するので、入射した瞬間に応答用ＬＥＤ43より赤外線を入射方向に再放射させる。
【００３２】
回転台１においては、２度目の再放射された赤外線を回転台１の光センサ16で受光した瞬間に、アップ・ダウン・カウンタ18およびアップ・ダウン・カウンタ19で計数された角度データおよび長さデータをブルーツース無線通信部10により携帯端末装置３へ送信する。（ステップ５）。
【００３３】
携帯端末装置３は、測定装置本体Ｈから受信したこの第２測定点の角度データおよび長さデータを記憶部34に格納するとともに、極座標データに変換し、「測定画面」に表示されている対応する部屋の第２測定点の○印を塗りつぶす（ステップ６）。そして、携帯端末装置３は、今回の測定点が最後の測定点であるか否かを判定する（ステップ７）。
【００３４】
ステップ４〜ステップ７の動作を繰り返し行うと、測定済みの測定点の○印を順次に塗りつぶして表示するので進行状況を把握することができる。６畳で間中測定の場合にはデータを１４回収集し、小間中測定の場合にはデータを２４回収集すると、データの収集を終了する。
【００３５】
各測定点において収集されたデータは、主演算部により順次に極座標演算を行って、携帯端末装置３の記憶部に格納される。データの収集が終了すると、ＸＹ座標系データに変換する。なお、すべての測定点において全データを収集してからＸＹ座標系データに変換してもよいのである。
【００３６】
そして、図９に示す「測定完了画面」に収集したデータに基づく測定結果を初期設定した情報とともに表示する。
【００３７】
（第２の実施形態）
以上で説明した第１の実施形態においては、原点に設置された測定装置本体より各測定点までの距離を測定装置本体から引き出したワイヤーまたはテープの長さをリニア・エンコーダによって長さデータに変換していたが、測定装置本体より各測定点までの距離をレーザ距離計によって計測しても、同様の操作を行うことができる。
【００３８】
特許第４０６１４１４号公報、特許第４１７８２８９号公報において開示されているように、測定装置本体にリニア・エンコーダおよびワイヤーまたはテープの代わりにレーザ距離計を搭載する。
【００３９】
第１の実施形態と同様に、レーザ距離計を動作させながら測定装置本体を回転させると、レーザ距離計のレーザビームも回転し、その照射位置を目視により確認することができる。
【００４０】
そこで、レーザビームが、所定の測定点を照射したとき、携帯端末装置を操作してデータの取り込みを指示する電気信号を測定装置本体へ送信して、ロータリー・エンコーダで得た角度データおよびレーザ距離計で得た長さデータを携帯端末装置へ送信するように構成することにより同様に極座標でデータを収集することができる。
【００４１】
（第３の実施形態）
第１または第２の実施形態において説明した、部屋の寸法測定装置によって部屋のほぼ中心から部屋周囲の複数の測定点までの角度データおよび長さデータを収集したのち、各測定点における部屋の床面から敷居上面までの高さデータを収集するように構成したものである。
【００４２】
部屋に複数の畳を敷き込んだときに、隣接する畳どうしの表面の高さが一致していなければ、畳の突合わせ部において段差を生じる。特に、敷居に接する畳においては、敷居上面と畳の表面高さが一致していなければ、同様に付合わせ部に段差を生じて見栄えが悪くなる。
【００４３】
そこで、畳と敷居の突合わせ部の表面高さを段差なく揃えるために、製造工程おいて、各畳ごとに畳の敷居との付合わせ部の裏面にスペーサーを挿入して畳の厚みを微調整することが従来より行われている。
【００４４】
部屋に畳を敷き込む際には、部屋の全周囲の各要所における床面から敷居上面までの高さを別途測定してメモ書きしておき、このメモ書きに基づいて、畳の敷居に突き当たる部分（下前、框）の厚みを微調整していた。
【００４５】
敷居の高さ測定装置として、図１０の斜視図に示すように、把手79を有する半円柱形の高さ測定装置７の正面にフォトダイオードアレイ71を設けたものを使用する。なお、把手79は乾電池のケースとして兼用され、スイッチ77を備えている。
【００４６】
敷居の高さ測定装置７には、図１１のブロック図に示すように、フォトダイオードアレイ71と、このフォトダイオードアレイ71の各出力チャンネルがそれぞれ接続されたマルチプレクサー72と、このマルチプレクサー72によって選択的に接続された１つのチャンネルの出力をＡ／Ｄ変換するＡ／Ｄ変換回路74と、マイコン75と、このマイコン75のシリアル通信ポートより出力される高さデータを送信するブルーツース（登録商標）無線通信部76を備えている。
【００４７】
マルチプレクサー72は、そのアドレス端子73に、マイコン75より順次に変化するアドレス信号が印加され、フォトダイオードアレイ71の各出力チャンネルの内の１つを順次にＡ／Ｄ変換回路74へ導くものであって、フォトダイオードアレイ71を縦方向に走査するように動作する。
【００４８】
敷居９の高さを測定する際には、図１３に示す画面において、「敷居の高さ」をタッチすると、各測定点ごとに、敷居の高さデータを入力する小判形の枠が併記される。
【００４９】
このとき、図６に示す「初期設定画面」において予め設定した「部屋の大きさ」および「測定方法（間中測定法、小間中測定法）」に基づいて測定点の数が決まる。
【００５０】
そして、測定点ごとに、図１２の斜視図に示すように、敷居の高さ測定装置７を床面の上に載せ、フォトダイオードアレイ71を有する面を敷居９の側面に押し当ててスイッチ77を操作して電源を入れると測定動作を開始する。
【００５１】
フォトダイオードアレイ71を走査すると、下部のフォトダイオードアレイ71ａにおいては、敷居９により入射する光線が遮られて暗く、出力レベルは低い。しかし、敷居上面より上部のフォトダイオードアレイ71ｂにおいては、外光が入射するので出力レベルは高くなる。
【００５２】
なお、暗い場所において敷居の高さを測定する場合には、入射する外光が弱くて測定が困難であるから、フォトダイオードアレイ71の上にＬＥＤを設けて、測定中に点灯するように構成しておくと便利である。
【００５３】
走査中に、Ａ／Ｄ変換回路73から出力される入射光のデジタル信号が急変したとき、マルチプレクサー72に印加さているそのアドレス信号が、敷居上面に指向しているフォトダイオード71のアドレスに対応している。したがって、デジタル信号が急変したときのアドレスが敷居９の高さに対応している。
【００５４】
このマルチプレクサー72のアドレスをマイコン74により高さデータに変換してブルーツース無線通信部（図示せず）より、携帯端末装置３に送信して記憶部34に格納するとともに、図１３に示す画面の小判形の枠の中に敷居の高さ（ｍｍ）を表示する。
【００５５】
（第４の実施形態）
以上で説明した第３の実施形態においては、第１および第２の実施形態で説明した手法により、各測定点のデータを収集して部屋の寸法の測定が完了したのちに、各測定点の敷居の高さを測定して高さデータを収集しているが、この第４の実施形態においては、各測定点の寸法データ（部屋の中心部を基準にした部屋周囲の測定点までの長さデータおよび角度データよりなる極座標データ）を収集するごとに、敷居の高さデータを収集して入力するものである。
【００５６】
敷居の高さデータの収集に際して、まず図１３に示す高さ入力画面を表示させる。この画面における小判形の枠は、敷居の高さデータを表示するもので、当初空欄であるが、各測定点において、部屋の寸法データを収集するごとに、対応する測定点の敷居の高さを測定装置７を使用して測定し、敷居の高さデータを収集して、該当する測定点の小判形の枠の中に表示させる。このとき、極座標で収集した部屋の寸法のデータは、まだデータ量が少ないのでＸＹ座標系データに変換できないから長方形の枠の中には何も表示されない。
【００５７】
すべての測定点について部屋の寸法のデータおよび敷居の高さデータの収集が完了すると、小判形の枠の中に敷居の高さ（ｍｍ）が表示される。なお、すべての測定点において極座標で収集したデータからＸＹ座標系データに変換されるごとに、長方形の枠の中に畳のクセを示すデータを表示させる。
【００５８】
（第５の実施形態）
以上で説明した第３および第４の実施形態においては、敷居の高さを測定するために専用の高さ測定装置７を使用しているが、この第５の実施形態においては、専用の装置を使用することなく、普通に用いられているノギスや物差しを使用して、各測定点における敷居の高さを測定してメモ書きしておき、このメモ書きした高さデータを別途入力するように構成したものである。
【００５９】
第１および第２の実施形態で説明した手法により部屋の寸法の測定が完了すると、図１４に示すように、クセを長方形の枠内に表示するとともに、各測定点ごとに敷居の高さを入力する小判形の枠が表示される。
【００６０】
この小判形の枠は、当初空欄であるが、部屋の寸法を測定した順番と同じ順番で敷居の高さデータをテンキーにより入力する。テンキーにより第１測定点の高さデータを入力して、「ＳＥＴキー」をタッチすると、第２測定点の高さデータの入力に移行する。
【００６１】
同様の入力動作を各測定点ごとに行って、すべての高さデータの入力が完了すると、「登録キー」をタッチすると、部屋の寸法データとともに敷居の高さデータが携帯端末装置３の記憶部34に格納される。
【００６２】
（第６の実施形態）
以上で説明した第５の実施形態においては、第１および第２の実施形態で説明した手法により、各測定点のデータを収集して部屋の寸法の測定が完了したのちに、各測定点の敷居の高さを測定して高さデータを収集しているが、この第６の実施形態においては、各測定点の寸法データを収集するごとに、敷居の高さデータを収集して入力するものである。
【００６３】
敷居の高さデータの収集に際して、まず図１４に示す高さ入力画面を表示させる。この画面における小判形の枠は、高さデータを表示するもので、当初空欄であるが、各測定点において、部屋の寸法データを収集するごとに、対応する測定点の敷居の高さをノギスや物差しを使用して測定して敷居の高さデータを収集し、テンキーにより入力して該当する測定点の小判形の枠の中に表示させる。
【００６４】
このとき、極座標で収集した部屋の寸法のデータは、まだデータ量が少ないのでＸＹ座標系データに変換できないないから長方形の枠の中には何も表示されない。すべての測定点において極座標で収集したデータからＸＹ座標系データに変換されるごとに、長方形の枠の中に畳のクセを示すデータを表示させる。
【符号の説明】
【００６５】
１  回転台
２  基台
３  携帯端末装置
４  探触子
５  レーザ光源
10  無線通信部
11  ロータリー・エンコーダ
13  リニア・エンコーダ
17  ワイヤーまたはテープ
31  無線通信部
【図１】
2013127450.tif 000003
【図２】
2013127450.tif 000004
【図３】
2013127450.tif 000005
【図４】
2013127450.tif 000006
【図５】
2013127450.tif 000007
【図６】
2013127450.tif 000008
【図７】
2013127450.tif 000009
【図８】
2013127450.tif 000010
【図９】
2013127450.tif 000011
【図１０】
2013127450.tif 000012
【図１１】
2013127450.tif 000013
【図１２】
2013127450.tif 000014
【図１３】
2013127450.tif 000015
【図１４】
2013127450.tif 000016